【手続補正書】
【提出日】令和2年5月18日(2020.5.18)
【手続補正１】
【補正対象書類名】明細書
【補正対象項目名】０００１
【補正方法】変更
【補正の内容】
【０００１】
印刷装置で印刷可能な用紙情報と異なる用紙情報を含む広告データであっても、当該印刷装置で適切に広告データを印刷することの可能な情報処理装置、その制御方法、及びプログラム、並びに、情報処理システム、その制御方法、及びプログラムに関する。
【手続補正２】
【補正対象書類名】明細書
【補正対象項目名】０００９
【補正方法】変更
【補正の内容】
【０００９】
そこで、本発明は、印刷装置で印刷可能な用紙情報と異なる用紙情報を含む広告データであっても、当該印刷装置で適切に広告データを印刷することの可能な仕組みを提供することを目的とする。
【手続補正３】
【補正対象書類名】明細書
【補正対象項目名】００１０
【補正方法】変更
【補正の内容】
【００１０】
本発明の情報処理装置は、印刷装置と通信可能であって、管理サーバから受け付けた広告データを印刷するための情報処理装置であって、複数のコンテンツを用紙に印刷するためのレイアウトを示すレイアウト情報と印刷するための用紙情報とを含む広告データを前記管理サーバから取得する取得手段と、前記取得手段で取得された前記広告データであって、前記印刷装置で印刷可能な用紙情報と異なる用紙情報を含む前記広告データの前記レイアウト情報を、前記印刷装置で印刷可能な用紙情報を含む前記広告データの前記レイアウト情報に変更するように制御する制御手段と、を備えることを特徴とする。
【手続補正４】
【補正対象書類名】明細書
【補正対象項目名】００１１
【補正方法】変更
【補正の内容】
【００１１】
本発明によれば、印刷装置で印刷可能な用紙情報と異なる用紙情報を含む広告データであっても、当該印刷装置で適切に広告データを印刷することが可能となる。
【手続補正５】
【補正対象書類名】特許請求の範囲
【補正対象項目名】全文
【補正方法】変更
【補正の内容】
【特許請求の範囲】
【請求項１】
印刷装置と通信可能であって、管理サーバから受け付けた広告データを印刷するための情報処理装置であって、
複数のコンテンツを用紙に印刷するためのレイアウトを示すレイアウト情報と印刷するための用紙情報とを含む広告データを前記管理サーバから取得する取得手段と、
前記取得手段で取得された前記広告データであって、前記印刷装置で印刷可能な用紙情報と異なる用紙情報を含む前記広告データの前記レイアウト情報を、前記印刷装置で印刷可能な用紙情報を含む前記広告データの前記レイアウト情報に変更するように制御する制御手段と、
を備えることを特徴とする情報処理装置。
【請求項２】
前記制御手段は、前記取得手段で取得された前記広告データが前記印刷装置で印刷可能な用紙情報と異なる用紙情報を含む前記広告データである場合には前記レイアウト情報を変更し、前記取得手段で取得された前記広告データが前記印刷装置で印刷可能な用紙情報を含む前記広告データである場合には前記レイアウト情報を変更しないよう制御することを特徴とする請求項１に記載の情報処理装置。
【請求項３】
前記制御手段は、前記広告データの前記レイアウト情報を変更する場合に、当該広告データの大きさは変更しないよう制御することを特徴とする請求項１または２に記載の情報処理装置。
【請求項４】
前記制御手段は、前記用紙に対する前記広告データの割り付け設定を変更することによって前記広告データを前記印刷装置で印刷可能となるよう制御することを特徴とする請求項１乃至３のいずれか１項に記載の情報処理装置。
【請求項５】
前記用紙情報は、用紙のサイズの情報を含み、
前記制御手段は、前記取得手段で取得した前記広告データに含まれる用紙のサイズと前記印刷装置で印刷可能な用紙のサイズとを用いて、前記レイアウト情報を変更するか否かを制御することを特徴とする請求項１乃至４のいずれか１項に記載の情報処理装置。
【請求項６】
前記取得手段で取得した前記広告データに含まれる用紙情報を用いて、当該広告データを前記印刷装置で印刷可能か否かを判定する判定手段と、
前記広告データを印刷するよう制御する印刷制御手段をさらに備え、
前記印刷制御手段は、前記判定手段で当該広告データを前記印刷装置で印刷可能と判定した場合は前記レイアウト情報に基づき当該広告データを前記印刷装置で印刷するよう制御し、当該広告データを前記印刷装置で印刷不可能と判定した場合は前記制御手段で変更したレイアウト情報に基づき当該広告データを前記印刷装置で印刷するよう制御することを特徴とする請求項１乃至５のいずれか１項に記載の情報処理装置。
【請求項７】
前記制御手段は、前記判定手段で印刷不可能であると判定された場合には、前記印刷装置で印刷可能な用紙にレイアウト可能なコンテンツの数を特定し、特定された数のコンテンツを当該用紙にレイアウトすることを特徴とする請求項６に記載の情報処理装置。
【請求項８】
前記用紙情報と前記印刷装置に対応するプリンタドライバとを対応付けて記憶する記憶手段を更に備え、
前記判定手段は、前記複数のコンテンツのサイズに対応するプリンタドライバが前記記憶手段に記憶されている場合には、前記広告データが前記印刷装置で印刷可能であると判定することを特徴とする請求項６または７に記載の情報処理装置。
【請求項９】
前記広告データは、前記レイアウト情報でレイアウトされた複数のコンテンツに対して特定の設定情報を更に含んでおり、
前記取得手段で取得された、前記印刷装置で印刷可能な用紙情報と異なる用紙情報を含む前記広告データであって、前記特定の設定情報を含んだ前記広告データである場合には、エラー情報を出力する出力手段を更に備えることを特徴とする請求項１乃至８のいずれか１項に記載の情報処理装置。
【請求項１０】
印刷装置と通信可能であって、管理サーバから受け付けた広告データを印刷するための情報処理装置の制御方法であって、
複数のコンテンツを用紙に印刷するためのレイアウトを示すレイアウト情報と印刷するための用紙情報とを含む広告データを前記管理サーバから取得する取得ステップと、
前記取得ステップで取得された前記広告データであって、前記印刷装置で印刷可能な用紙情報と異なる用紙情報を含む前記広告データの前記レイアウト情報を、前記印刷装置で印刷可能な用紙情報を含む前記広告データの前記レイアウト情報に変更するように制御する制御ステップと、
を含むことを特徴とする情報処理装置の制御方法。
【請求項１１】
コンピュータを、請求項１乃至９のいずれか１項に記載の情報処理装置として機能させるためのプログラム。
【請求項１２】
印刷装置と通信可能であって、管理サーバから受け付けた広告データを印刷するための情報処理システムであって、
複数のコンテンツを用紙に印刷するためのレイアウトを示すレイアウト情報と印刷するための用紙情報とを含む広告データを前記管理サーバから取得する取得手段と、
前記取得手段で取得された前記広告データであって、前記印刷装置で印刷可能な用紙情報と異なる用紙情報を含む前記広告データの前記レイアウト情報を、前記印刷装置で印刷可能な用紙情報を含む前記広告データの前記レイアウト情報に変更するように制御する制御手段と、
を備えることを特徴とする情報処理システム。
【請求項１３】
印刷装置と通信可能であって、管理サーバから受け付けた広告データを印刷するための情報処理システムの制御方法であって、
複数のコンテンツを用紙に印刷するためのレイアウトを示すレイアウト情報と印刷するための用紙情報とを含む広告データを前記管理サーバから取得する取得ステップと、
前記取得ステップで取得された前記広告データであって、前記印刷装置で印刷可能な用紙情報と異なる用紙情報を含む前記広告データの前記レイアウト情報を、前記印刷装置で印刷可能な用紙情報を含む前記広告データの前記レイアウト情報に変更するように制御する制御ステップと、
を含むことを特徴とする情報処理システムの制御方法。
【請求項１４】
コンピュータを、請求項１２に記載の情報処理システムとして機能させるためのプログラム。